(57)【要約】      【課題】  被写体である人物や撮影者が違和感を覚えることなく、撮影画像とこれに対する特定処理を行うための画像とを確実に取得できるようにする。      【解決手段】  撮像装置は、被写体像を光電変換する撮像素子を用いて画像を取得する画像取得手段と、画像取得中であることを表示する表示手段７，１０と、画像取得手段を制御して、第１の画像および該第１の画像に対する特定処理に用いる第２の画像を取得させる制御手段とを有する。制御手段は、第１および第２の画像の取得開始から終了まで表示手段に表示動作を継続させる。    【選択図】  図１
2005354645.tif 000002
【特許請求の範囲】
【請求項１】
被写体像を光電変換する撮像素子を用いて画像を取得する画像取得手段と、
画像取得中であることを表示する表示手段と、
前記画像取得手段を制御して、第１の画像および該第１の画像に対する特定処理に用いる第２の画像を取得させる制御手段とを有し、
前記制御手段は、前記第１および第２の画像の取得開始から終了まで前記表示手段に表示動作を継続させることを特徴とする撮像装置。
【請求項２】
前記表示手段は、被写体に対して表示を行うことを特徴とする請求項１に記載の撮像装置。
【請求項３】
前記制御手段は、照明光を照射して取得した前記第１の画像中の赤目を補正する処理のために、前記照明光を照射せずに取得した前記第２の画像を用いることを特徴とする請求項１又は２に記載の撮像装置。
【請求項４】
前記制御手段は、前記第１の画像中の閉じた目を補正する処理のために前記第２の画像を用いることを特徴とする請求項１又は２に記載の撮像装置。
【請求項５】
前記制御手段は、前記第１の画像中の無階調領域を補正する処理ために前記第２の画像を用いることを特徴とする請求項１又は２に記載の撮像装置。
【請求項６】
前記制御手段は、前記画像取得手段に、前記第１の画像よりも先に前記第２の画像を取得させることを特徴とする請求項１から５のいずかれ１つに記載の撮像装置。
【請求項７】
前記制御手段は、前記第２の画像の取得時における前記画像取得手段の光に対する感度を、前記第１の画像の取得時における前記感度よりも高くすることを特徴とする請求項１から６のいずれか１つに記載の撮像装置。
【発明の詳細な説明】
【技術分野】
【０００１】
本発明は、撮像素子を用いて画像を取得する撮像装置に関し、特に複数の画像を取得して、特定画像を補正したり特定画像に他の画像を合成したりする処理を行う撮像装置に関するものである。
【背景技術】
【０００２】
照明光としてのフラッシュ光を被写体に照射して撮像を行うと、いわゆる赤目現象により得られた画像中の人物等の目が赤くなる。例えば、特許文献１には、フラッシュ撮像とフラッシュ光のない撮像とを連続して行い、両撮像で得られた画像データを比較して赤目を検出すると、フラッシュ撮像により得られた画像データを補正する技術が開示されている。
【特許文献１】特開平４−１９２６８１号公報（３頁右下欄１７行〜４頁右下欄１１行、図面）
【発明の開示】
【発明が解決しようとする課題】
【０００３】
上記のように連続撮像により得られた複数の画像データから補正画像を得る方法では、１回の撮像スイッチの操作によって複数回の撮像が自動的に行われるようにするのが好ましい。しかしながら、１回の撮像スイッチの操作やフラッシュ発光によって複数回の撮像が行われることに対しては、撮影者や被写体となる人物が違和感を覚えるおそれがある。そして、初回の撮像によって撮像が終了したものと判断して、被写体の人物が移動したり撮影者が撮像装置を動かしたりすると、適切な補正用の画像データが得られない。
【０００４】
本発明の例示的な目的の１つは、被写体である人物や撮影者が違和感を覚えることなく、撮影画像とこれに対する特定処理を行うための画像とを確実に取得できるようにした撮像装置を提供することである。
【課題を解決するための手段】
【０００５】
本発明に係る撮像装置は、被写体像を光電変換する撮像素子を用いて画像を取得する画像取得手段と、画像取得中であることを表示する表示手段と、画像取得手段を制御して、第１の画像および該第１の画像に対する特定処理に用いる第２の画像を取得させる制御手段とを有する。そして、制御手段は、第１および第２の画像の取得開始から終了まで表示手段に表示動作を継続させる。
【発明の効果】
【０００６】
本発明によれば、第１および第２の画像の取得開始から終了まで表示手段に表示動作を継続させるので、被写体である人物や撮影者に画像取得中であることを認識させることが可能である。したがって、第１の画像のみならず、特定処理に必要な第２の画像も、被写体である人物や撮影者に違和感を覚えさせることなく、確実に取得することができる。
【発明を実施するための最良の形態】
【０００７】
以下、本発明の実施例について図面を参照しながら説明する。
【実施例１】
【０００８】
図１には、本発明の実施例１に係る撮像装置の外観を示している。該撮像装置は、デジタルカメラ、デジタルビデオカメラ、カメラ付き携帯端末（カメラ付き携帯電話を含む）等によって構成することができるが、本実施例では、デジタルカメラとしての撮像装置について説明する。図１（Ａ）は、本撮像装置の前方（被写体側）から見た様子を、図１（Ｂ）は背面側（撮影者側）から見た様子をそれぞれ示している。
【０００９】
これらの図において、１は撮像装置（本体）、２は撮影レンズである。３は撮影ボタンであって、これが第１ストローク操作されると、後述するスイッチＳＷ１がＯＮとなり、撮像装置は被写体までの距離を測定し、該被写体に合焦する位置まで撮影レンズ２を駆動する。また、被写体とその周辺の明るさを測定して露光時間を決定したり、フラッシュの発光の有無又はフラッシュ発光量を決定したりする等、画像取得に必要な準備動作を行う。
【００１０】
さらに、撮影ボタン３が第２ストローク操作されると、後述するスイッチＳＷ２がＯＮとなり、撮像装置は画像（静止画像）の撮像動作、すなわち画像の取得動作（言い換えれば、後述する記録媒体への記録が可能な静止画像の生成動作）を開始する。
【００１１】
４はメインスイッチであり、電源オフの状態でこれが操作されることによって撮像装置の電源が入り、撮像装置が動作状態となる。また、これとともに、撮像装置１の背面に設けられた画像表示パネル１１に、現在撮像されている動画像が表示される。そして、この状態で撮影ボタン３が操作されることによって、上述した準備動作および画像の取得動作が行われる。
【００１２】
５は撮像装置１の前面に設けられたフラッシュユニットであり、Ｘｅ放電管から発せられたフラッシュ光がここから被写体に向けて照射される。６は光学ファインダ窓である。
【００１３】
７は撮像装置１の前面に設けられた第１のランプ（表示手段）であり、撮影ボタン３の第２ストローク操作に応じた画像取得動作中に点灯又は点滅する。第１のランプ７が点灯又は点滅することにより、被写体である人物は「画像取得中である」ことを認識することができ、その間、被写体に姿勢や表情を保持させることが期待できる。
【００１４】
８は撮像装置１の前面に設けられた、被写体とその周辺の明るさを測定するための測光窓であり、該測光窓８を介して撮像装置は明るさ情報を得る。具体的には、測光窓８から入射した光を受光素子が光電変換し、光量に応じた電荷量（電流値又は電圧値）を出力する。撮像装置は該電荷量に基づいて明るさの情報を算出等して得る。
【００１５】
９は撮像装置１の背面に設けられた光学ファインダの接眼部である。該光学ファインダ窓６を介して撮影者は被写体像を観察することができる。
【００１６】
１０は撮像装置１の背面に設けられた第２のランプ（表示手段）であり、撮影ボタン３の第２ストローク操作に応じた画像取得動作中に点灯又は点滅する。第２のランプ１０が点灯又は点滅することにより、撮影者は「画像取得中である」ことを認識することができ、その間も撮像装置を動かさないように保持することが期待できる。なお、この第２のランプ１０は、撮影者が光学ファインダ接眼部１０を覗いている場合でも点灯又は点滅を視認できるように、ファインダ内部や接眼部１０の近傍に設けるようにしてもよい。
【００１７】
画像表示パネル１１は、カラーＴＦＴタイプの液晶パネル等によって構成される。この画像表示パネル１１には、上述したように電源投入とともに被写体の動画像が表示される。また、画像取得直後の所定時間の間は、取得された静止画像が表示される。撮影者は、取得された静止画像を見て、その画像を撮像装置に装着された不図示の記憶媒体（半導体メモリ、光ディスク、磁気ディスク等）に記録するか否かを選択することが可能である。
【００１８】
また、この画像表示パネルには、取得された画像の数（記録媒体に記録された画像の数）や取得可能な画像の数など、画像取得に関連する情報が表示される。
【００１９】
１２は取得済み画像の編集を可能にする画像編集モードを設定するためのモードスイッチである。この撮像装置においては、通常（デフォルト）では、表示パネル１１に後述する補正画像が表示されるモードが選択される。
【００２０】
１３、１４は取得済みの任意の画像を表示パネル１１に表示させるための第１および第２の表示選択スイッチである。第２の表示選択スイッチ１４は、現在表示パネル１１に表示されている画像よりも前に取得された画像を表示させるために操作され、第１の表示選択スイッチ１３は、現在表示パネル１１に表示されている画像よりも後に取得された画像を表示させるために操作される。
【００２１】
また、モードスイッチ１２により画像編集モードが設定されると、取得した画像のうち不要な画像を選択して消去する機能が追加され、このモードで表示選択スイッチ１３又は１４を操作して選択された画像は、表示選択スイッチ１３，１４を同時に所定時間以上操作することによって消去される。
【００２２】
図２には、図１に示した撮像装置の電気回路の構成を示している。１５は本撮像装置の全ての動作の制御を司る制御部であり、中央演算処理ユニット（ＣＰＵ），ＲＡＭ、制御用プログラムが書き込まれたＲＯＭ、周辺の各部やスイッチとの信号のやり取りを司るインターフェース等から構成されている。このインターフェース部に各スイッチが接続され、ＣＰＵは各スイッチの入力に応じて各部の動作を制御する。また、ＣＰＵは、周辺の各部と接続されていて、ＲＯＭに書き込まれた制御用プログラムに基づいてそれらを制御する。
【００２３】
８ａは、図１に示した測光窓８を通して入射する光を受光して被写体とその周辺の明るさを測定する測光部である。５ａはフラッシュユニット５を発光駆動するフラッシュ部である。
【００２４】
１６は画像処理部であり、ここには後述する撮像部１８において取得された画像のデータが制御部１５を介して入力される。画像処理部１６は、入力された画像の評価および該評価結果に基づく補正処理（特定処理）を行う。
【００２５】
本実施例の画像処理部１６は、補正処理として、フラッシュ光を用いて取得された画像（第１の画像：以下、フラッシュ画像という）のうち人物の瞳が大きく、かつ赤くなってしまう赤目現象の発生を検出又は予測し、その結果から制御部１５に対して補正用画像（第２の画像）の取り込みを指示する。さらに、画像処理部１６は、上記指示に応じて取得された補正用画像を用いて、補正対象である第１の画像中の赤目領域を補正する。この赤目補正については後述する。
【００２６】
１７は制御部１５からの指示に応じて撮影レンズ２をフォーカス駆動するレンズ駆動部である。
【００２７】
２０は撮影レンズ２により形成された被写体像を光電変換する、ＣＣＤセンサやＣＭＯＳセンサ等の撮像素子である。１８は撮像素子２０からの出力信号から画像（画像信号）を生成する撮像部である。撮像部１８は、撮像素子２０の前側に設置されたシャッタを駆動して画像を撮影する。
【００２８】
また、撮像部１８には、撮像素子１８の出力信号を必要なレベルにまで増幅する増幅器が設けられており、この増幅器の増幅率は、制御部１５によって可変制御される。増幅率を大きくすることにより、見掛け上、撮影素子２０の光に対する感度高くする効果が得られ、逆に増幅率を小さくすると感度を低くする効果が得られる。
【００２９】
また、撮像部１８は、増幅器により増幅された信号をデジタル変換するＡ／Ｄコンバータを有する。本実施例では、撮像素子２０からの出力信号（増幅後の信号）をＡ／Ｄコンバータによって８ｂｉｔのデジタル信号に変換し、該デジタル信号に対して各種処理を行うことにより画像を生成する。なお、撮像素子２０および撮像部１８により画像取得手段が構成される。
【００３０】
１１ａは制御部１５からの指示に応じて、図１にも示した表示パネル１１への画像表示やランプ７，１０の光源である発光ダイオード７ａ，１０ａの点灯（又は点滅）、消灯を制御する表示部である。
【００３１】
１９は取得した画像を上述した記録媒体に記録する記録部である。記録媒体に記録される画像としては、上述したフラッシュ撮影画像および補正用画像がある。さらに、記録部１９は、フラッシュ画像を補正用画像を用いて補正した補正画像も記録媒体に記録する。
【００３２】
ここで、画像処理部１６の動作を説明する。なお、本実施例では、フラッシュ画像の取得に先立ってフラッシュ発光を伴わない画像の取得を行う。
【００３３】
フラッシュを用いて撮像した場合にフラッシュ光が人物の網膜で反射して赤く写る赤目現象については、画像の品位を損なうことから、これまでも様々な対策が講じられている。メモリ上に画像データとして被写体像を記録するデジタルカメラにおいて、赤目現象が発生した被写体像の瞳部分の画像データを補正する方法は、特許文献１や特開平１０−２３３９２９号公報などでも開示されている。
【００３４】
本実施例では、画像処理部１６は、画像から被写体の人物の目（瞳）の部分を特定し、その目の状態を評価して補正する必要性を判定する。具体的な赤目現象の検出方法に関しては、例えば、エッジ検出、形状パターン検出、位置情報、色相情報等を用いた瞳抽出を行って、彩度や色相から赤目を検出する方法、エッジ検出、形状パターン検出、位置情報等を用いて目を抽出し、この目の画像データの輝度ヒストグラムから低輝度領域を抽出し、抽出した低輝度領域を収縮処理して、瞳の領域を抽出し、彩度や色相から赤目を検出する方法を用いることができる。
【００３５】
また、顔候補領域をｘｙ平面として画素毎に色相等を用いた画像特徴点ｚを求め、ｘｙｚの三次元空間を設定してｚ値の山状分布からｘｙ平面を分割して、分割領域毎に形状情報や統計的画像特徴点等から赤目を検出する方法（特開２０００−０７６４２７号公報参照）も用いることができる。
【００３６】
さらに、画像から特定色の領域を抽出するとともに、撮影条件に基づいて画像上における被写体の両眼の間隔を演算し、抽出した特定色の領域と演算した両眼の間隔とに基づいて赤目領域を決定する方法（特開２０００−２２９７０号公報）もある。
【００３７】
画像処理部１６は、このような赤目が発生し得るフラッシュ発光が設定されていることを検出すると、制御部１５に補正用画像の取得を指示する。制御部１５は、フラッシュ発光を伴わない被写体画像の取得を撮像部１８に指示する。すなわち赤目が発生しない画像を取得する。そして、取得された画像を補正用画像として記録媒体に記録するとともに、画像処理部１６に転送する。
【００３８】
画像処理部１６は、その後のフラッシュ画像に対して上記赤目検出を行い、検出した場合には、補正用画像のデータを用いて、フラッシュ画像の赤目部分のデータを修正する。このときに用いる画像の修正方法としては、例えば、特開２０００−２０９４２５号公報に開示されている方法を利用することができる（段落番号０１１４等参照）。
【００３９】
以上のように構成された撮像装置の動作（主として制御部１５および画像処理部１６の動作）を図３のフローチャートを用いて説明する。
【００４０】
まずステップ（図ではＳと略記する）１０１で、メインスイッチ４（図２中のスイッチ４ａ）がオンすると、制御部１５は、動作を開始する。
【００４１】
次に、ステップ１０２では、各部クへ電源供給を開始する。これにより、消灯状態であった表示パネル１１が点灯する。また、フラッシュ発光に備えて、フラッシュ部５ａ内の不図示の充電回路を駆動して、フラッシュ発光に必要なエネルギを蓄える。
【００４２】
次に、ステップ１０３では、撮影者によって撮像ボタン３が第１ストローク操作されることによりスイッチ（ＳＷ１）３ａがＯＮ状態となったか否かを判別する。ＯＮ状態であれば、ステップ１０４に進む。
【００４３】
ステップ１０４では、制御部１５は、測光（ＡＥ）および測距（ＡＦ）を行わせる。測光結果に基づいて露光時間を決定する。また、測距結果に基づいて、撮影レンズ２をフォーカス駆動し、被写体にピントを合わせる。また、測光結果が所定レベルよりも暗い場合には、フラッシュ発光による撮像を設定する。
【００４４】
次に、ステップ１０５では、撮像ボタン３が第２ストローク操作され、スイッチ（ＳＷ２）３ｂがＯＮ状態となったか否かを判別する。ＯＮ状態であれば、ステップ１０６に進む。
【００４５】
ステップ１０６では、制御部１５は、発光ダイオード７ａ，１０ａ（ランプ７，８）を点灯又は点滅させる。これらランプ７，１０の点灯又は点滅により、被写体および撮影者に画像取得中であることが表示される。
次に、ステップ１０７では、ステップ１０４でフラッシュ発光が設定されたか否かを判別し、フラッシュ発光が設定されている場合はステップ１０８へ、フラッシュ発光が設定されていない場合はステップ１１６へそれぞれ移行する。
【００４６】
ステップ１０８では、フラッシュ発光を行わずに画像を取得し、その画像を記録媒体に記録する。このとき、ステップ１０４で得た測光結果に基づいて、撮像部１８の感度を高感度側に設定するとともに、その感度に対する適正露光値もしくは若干露光アンダーとなる画像を得るためのシャッタ開口時間を設定する。ここで、撮像部１８の感度を上げるのは、補正用画像の取得に要する時間をできるだけ短縮するためであり、多少ノイズが増加しても、その後に取得されるフラッシュ画像の目の周辺のデータを置き換えるために用いるだけであるので問題はほとんどない。
【００４７】
次に、ステップ１０９では、ステップ１０８で設定された条件で画像取得を行い、補正用画像を得る。そして、ステップ１１０では、上記補正用画像を、記録媒体に保存する。
【００４８】
次に、ステップ１１１では、フラッシュ画像を取得するために、シャッタを開く。シャッタが閉状態から徐々に全開状態へ変化する速度は常にほぼ一定であるように制御される。シャッタ開動作の開始時点からの経過時間とシャッタ開口の面積との関係は、シャッタ開口特性のデータとして制御部１５が備えている。
【００４９】
次に、ステップ１１２では、制御部１５は、ステップ１０４での測距結果とフラッシュ発光量とに基づいて、適正な露光量を得るためのシャッタ開口量を算出し、それに合致するようシャッタ開口特性とシャッタの開動作開始時からの経過時間とに基づいてフラッシュ発光のタイミングを決定し、発光させる。
【００５０】
次に、ステップ１１３では、所定の露光時間が経過するまでシャッタの開放状態を維持し、その後、制御部１５はシャッタを閉じ動作させる。
【００５１】
次に、ステップ１１４では、取得されたフラッシュ画像を制御部１５に送信する。制御部１５はそのフラッシュ画像を画像処理部１６へ転送する。画像処理部１６は、フラッシュ画像における人物の目の領域を特定し、赤目現象の有無を判定する。赤目が確認されるとその補正を行うために、ステップ１１５に進む。
【００５２】
ステップ１１５では、画像処理部１６は、ステップ１１０で記録媒体に保存した補正用画像からステップ１１４で検出した赤目領域に対応する画像データを切り出して取り込む。さらにこのデータを用いて、フラッシュ画像中の赤目領域の画像データを書き換える。これにより、フラッシュ光よって赤く光った被写体の瞳は、フラッシュ光を伴わない画像から得た瞳の画像で置き換えられることになり、赤目を補正することができる。そして、ステップ１１７に進む。
【００５３】
ステップ１１６では、ステップ１０４での測光結果に応じた露光時間を設定して、シャッタを開閉させ、フラッシュを発光させずに画像を取得する。この場合、赤目現象が発生することはないので、そのままステップ１１７に進む。
【００５４】
ステップ１１７では、制御部１５は、発光ダイオード７ａ，１０ａを消灯させる。これらが消灯したことで、被写体と撮影者は画像取得が終了したことを認識することができる。但し、フラッシュ撮影時には、撮影者および被写体としての人物はフラッシュ発光直後に「画像取得が完了した」と判断して、次の動作へ移ることが多いので、フラッシュ画像を取得する前にフラッシュ光を用いない補正用画像を取得しておくことが重要である。
【００５５】
次に、ステップ１１８では、記録媒体に取得画像を書き込む。ステップ１１６で画像取得しただけの場合は、その画像を記録媒体に書き込む。赤目補正を行った場合は、補正前のフラッシュ画像、補正用画像、補正後の画像（補正画像）を記録媒体に書き込む。各画像にはそれぞれを識別する付帯情報が添えられる。
【００５６】
次に、ステップ１１９では、制御部１５は、表示パネル１１には所定時間の間、例えば１０秒間だけ取得画像を表示させる。なお、赤目補正のルーチンを経由した取得画像には補正前のフラッシュ画像、補正用画像および補正後の画像の３つが存在するが、ここで表示されるのは補正後の画像である。
【００５７】
また、液晶パネル１１の一部には、表示されている画像が、記録媒体に記録された画像のうちいくつ目のものであるかを示す数字が表示される。但し、赤目補正のルーチンを経由した場合は、この数字に加算されるのは補正後の画像分のみであり、補正前の画像と補正用画像の枚数は反映されない。
【００５８】
なお、ここでモードスイッチ１２を操作して画像編集モードへ切り換えると、制御部１５は、上記補正後の画像と、補正前および補正用の画像も表示パネル１１に表示させる。さらに、各画像に添えられた付帯情報をも同時に表示される。これにより、画像編集モードでの画像の識別を容易としている。
【００５９】
操作者は、表示選択スイッチ１３，１４の同時操作によって、選択した画像データを消去することも可能である。従って、例えば自動的に赤目が補正された画像が好ましいものでなければ、それを消去して、補正前の画像を活かすことも可能である。補正後の画像が消去された場合、補正前の画像に対する付帯情報は、ステップ１１６で取得された画像と同じものに変更される。
【００６０】
なお、本実施例では、フラッシュ画像の赤目補正について説明したが、本発明は、画像中の人物が目（瞼）を閉じているか否かを判定し、閉じている場合に、その補正に用いる画像の取得を行う場合にも適用することができる。この場合、補正用画像から開いた状態の目の画像データを取り出し、目を閉じた画像を補正する。
【００６１】
以上説明したように、本実施例によれば、補正対象となる画像（補正前の画像）とその補正に用いる画像の取得開始から完了までランプ７，１０の点灯又は点滅を継続させることにより、その間、被写体や撮影者に複数の画像の取得を意識させることなく、姿勢や表情を保持させておくことができる。従って、補正前画像と補正用画像との差が少なくなり、結果的に良好な補正処理を行うことができる。
【００６２】
また、補正用画像は通常の操作では表示されないことや取得枚数にもカウントされないことから、一般的な撮影では自動的に補正が掛かることを撮影者に意識させることがない。
【００６３】
さらに、本実施例によれば、自動補正の結果が望ましいものではない場合に備えて、画像編集が可能な機能（画像編集モード）を設け、該モードにおいては補正用画像や補正前画像を確認できる。
【００６４】
また、補正前画像、補正用画像および補正後画像にそれぞれを識別するための付帯情報を付加することにより、それらの関係が容易に識別できるので、画像編集を容易に行うことができる。
【実施例２】
【００６５】
撮像素子を用いるデジタルカメラでは、撮影対象の明暗差が大きな場合に撮影画面の一部に所謂「白飛び（白つぶれ）」、「黒飛び（黒つぶれ）」が発生する。白飛びは、撮影画面の一部に諧調のない白で塗り潰されたような領域が発生するもので、撮像素子の画素が露光中に極端に明るい領域で飽和してしまうことが主な原因である。この場合、露光時間を短くすることで白飛びを防ぐことが可能であるが、画面中の他の領域の露光量が減るために、画面全体が暗くなる。すなわち、露出がアンダーの画像となってしまう。
【００６６】
また、黒飛びは、撮影画面の一部に諧調のない真っ暗な領域が発生するもので、撮影画面内の一部領域が暗いために、設定された露光時間では撮像素子に十分な電荷が蓄積できず、信号が得られないことから真っ暗として処理されて発生する。この場合は、露光時間を延長するか感度を上げることで黒飛びを防ぐことができるが、画面全体が白っぽくなる、露出がオーバーの画像となってしまう。
【００６７】
これら白飛びと黒飛びを防ぐ手段として、本発明の実施例２である撮像装置では、露光条件を変更して複数回の画像を取得し、それらの画像を合成して１枚の画像を作成するダイナミックレンジ拡張機能を備えるものである。なお、本実施例の撮像装置の構成は、実施例１と同様であるので、共通する構成要素には実施例１と同符号を付す。
【００６８】
図４には、本実施例の撮像装置における主として制御部１５および画像処理部１６の動作を示している。
【００６９】
ステップ１０１〜ステップ１０６は、実施例１と同様である。
【００７０】
ステップ１０７では、ステップ１０４でフラッシュ発光が設定されたか否かを判別し、フラッシュ発光が設定されている場合はステップ２０１へ、フラッシュ発光が設定されていない場合はステップ１２０へそれぞれ移行する。
【００７１】
ステップ１２０では、フラッシュを発光して画像を取得する。
【００７２】
ステップ２０１では、ステップ１０４で得た測光結果と本撮像装置で設定された感度に関する情報とに基づいて決定された露光時間で、撮像素子２０に光電変換動作をさせ、画像（第１の画像）を取得する。
【００７３】
ステップ２０２〜２０４では、取得した画像中に白飛び又は黒飛びがあるか否かを評価する。本撮像装置では、撮像素子２０からの出力信号を、Ａ／Ｄコンバータで８ｂｉｔのデジタル信号に変換して処理するが、さらに白飛び補正用に上位２ビット、黒飛び補正用に下位２ビットを付加し、１２ｂｉｔのデジタル値で画像データを表現する。
【００７４】
白飛び判定は、撮像素子２０からの出力信号をＡ／Ｄ変換した後の８ｂｉｔのデジタル信号から、明の飽和値である「１１１１１１１１」がそのデジタル信号に含まれる割合を算出する。ここでは「１１１１１１１１」が１０％を超えていると「白飛びを起こしている」と判定する。また、黒飛び判定は、撮像素子２０からの出力信号をＡ／Ｄ変換した後の８ｂｉｔのデジタル信号から、無信号を示す「００００００００」が１０％を超えていると「黒飛びを起こしている」と判定する。白飛びが判定された場合は、ステップ２０５に、黒飛びが判定された場合は、ステップ２０６に進む。
【００７５】
ステップ２０５では、露出を２段分減少させる条件を設定する。ここでは、露光時間を１／４に短縮するものとする。
【００７６】
ステップ２０６では、露出を２段分増加させる条件を設定する。ここでは、撮像部１８の感度を４倍に設定するものとする。なお、感度を増加させることに代えて、露光時間を増加させても（例えば、４倍にしても）よい。
【００７７】
次に、ステップ２０７では、ステップ２０５又はステップ２０６で設定した露光条件で補正用画像（第２の画像）を取得する。
【００７８】
ステップ２０８では、ステップ２０２で評価された画像の白飛び領域を、ステップ２０７で得た補正用画像を用いて補正する。補正用画像は、ステップ２０５において露光時間が１／４に短縮されて取得された画像であるので、画像データとしては２ビット分シフトしていることになる。従って、白飛び補正用の２ｂｉｔと黒飛び補正用の２ｂｉｔを加えた１２ｂｉｔデータは、白飛びが発生している領域では「００１１１１１１１１００」となっている。このため、露光条件を変えて新たに得た画像中の対応領域の８ｂｉｔデータ、例えば「１００１０１００」を２ｂｉｔ分上位方向へシフトして白飛び領域のデータに置き換え、さらに空いた下位２ｂｉｔと黒飛び補正用２ｂｉｔに「００００」を充てることで、「１００１０１００００００」というデータを得ることができる。すなわち、明るい方向へダイナミックレンジを４倍拡大したことに相当する。
【００７９】
黒飛びの補正も同様に行う。すなわち、新たに得た４倍の露光量の画像中の８ｂｉｔデータ、例えば「００００００１１」を２ｂｉｔ下位方向へシフトして「００００００００００１１」との画素データを得ることができる。なお、黒飛び、白飛びを起こしていない画像やフラッシュ撮影で得た画像では、８ｂｉｔの画像データ「ＸＸＸＸＸＸＸＸ」に上位２ｂｉｔ、下位２ｂｉｔにそれぞれ「００」を加えて「００ＸＸＸＸＸＸＸＸ００」の１２ｂｉｔデータとする。この処理により８ｂｉｔで取り込んだ画像データを１２ｂｉｔに拡張することが可能となる。こうして白飛びや黒飛びを補正した画像（１２ｂｉｔデータ）を得る。
【００８０】
ステップ１１７では、ステップ１０６で点灯又は点滅を開始した発光ダイオード７ａ，１０ａ（ランプ７，１０）を消灯する。
【００８１】
次に、ステップ１１８では、ステップ１２０で取得されたフラッシュ画像又はステップ２０８で得られた補正後の画像（１２ｂｉｔに変換された画像データ）を記録媒体に書き込む。
【００８２】
そして、ステップ１１９では、表示パネル１１に、所定時間、取得済みの画像を表示させる。
【００８３】
本実施例の撮像装置においても、画像取得中を表示するランプ７，１０の点灯又は点滅中に複数の画像データを取得するので、被写体である人物や撮影者に複数回の画像取得を行っていることを感じさせることなく、被写体の明暗差が大きな状況でも白飛びや黒飛び領域の少ない画像を得ることが可能である。
【００８４】
なお、上記各実施例では、赤目補正や白飛び・黒飛び補正処理を行う場合について説明したが、本発明は、これらの補正処理に限らず、第１の画像と１又は複数の第２の画像とを連続して取得し、第２の画像を用いて第１の画像に対し様々な処理を行う場合にも適用することができる。
【図面の簡単な説明】
【００８５】
【図１】本発明の実施例１に係る撮像装置の前面側から見た図（Ａ）および背面側から見た図（Ｂ）。
【図２】実施例１の撮像装置の構成を示すブロック図。
【図３】実施例１の撮像装置の動作を示すフローチャート。
【図４】本発明の実施例２に係る撮像装置の動作を示すフローチャート。
【符号の説明】
【００８６】
１  撮像装置
２  撮影レンズ
３  撮像ボタン
５  フラッシュユニット
７，１０  ランプ
７ａ，１０ａ  発光ダイオード
１１  画像表示パネル
【図１】
2005354645.tif 000003
【図２】
2005354645.tif 000004
【図３】
2005354645.tif 000005
【図４】
2005354645.tif 000006